【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
（Ａ）（Ａ−１）重量平均分子量が８０万以上であるジエン系合成ゴム１０〜１００質量％と、（Ａ−２）天然ゴム及び／又は重量平均分子量が８０万未満であるジエン系合成ゴム９０〜０質量％とからなるゴム成分と、その１００質量部に対し、（Ｂ）無機充填材５〜９５質量％を含有する充填材３０〜１００質量部及び（Ｃ）プロセスオイル０〜５０質量部を含み、かつ（Ｄ）前記無機充填剤と結合可能な元素もしくは官能基、及び保護されたメルカプト基を少なくとも含むシランカップリング剤を前記（Ｂ）成分中の無機充填材に対して２〜２５質量％の割合で含むことを特徴とするゴム組成物。
【請求項２】
前記（Ｄ）成分の無機充填材と結合することのできる官能基がアルコキシシラン基である請求項１に記載のゴム組成物。
【請求項３】
前記（Ｄ）成分が一般式（Ｉ）
【化１】
2008231417.tif 000001
［式中、Ｒ1は−Ｃｌ、−Ｂｒ、Ｒ6Ｏ−、Ｒ6Ｃ（＝Ｏ）Ｏ−、Ｒ6Ｒ7Ｃ＝ＮＯ−、Ｒ6Ｒ7Ｎ−又は−（ＯＳｉＲ6Ｒ7）m（ＯＳｉＲ6Ｒ7Ｒ12）（ただし、Ｒ6、Ｒ7及びＲ12は、それぞれ独立に水素原子又は炭素数１〜１８の一価の炭化水素基である。）Ｒ2はＲ1、水素原子又は炭素数１〜１８の一価の炭化水素基、Ｒ3はＲ1、Ｒ2又は−[Ｏ（Ｒ8Ｏ）a]0.5 −基（ただし、Ｒ8は炭素数１〜１８のアルキレン基、ａは１〜４の整数である。）、Ｒ4は炭素数１〜１８の二価の炭化水素基、Ｒ5は炭素数１〜１８の一価の炭化水素基を示し、ｘ、ｙ及びｚは、ｘ＋ｙ＋２ｚ＝３、０≦ｘ≦３、０≦ｙ≦２、０≦ｚ≦１の関係を満たす数である。］及び／又は一般式（II）
【化２】
2008231417.tif 000002
[式中Ｒ9は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つの珪素原子と結合することのできる基で、 [−Ｏ−]0.5、[−Ｏ−Ｇ−]0.5又は[−Ｏ−Ｇ−Ｏ−] 0.5から選ばれる基であり、Ｚbはそれぞれ独立して二つの珪素原子と結合することのできる基で、 [−Ｏ−Ｇ−Ｏ−] 0.5で表される官能基であり、Ｚcはそれぞれ独立して−Ｃｌ、−Ｂｒ、−ＯＲ10、Ｒ10Ｃ(＝Ｏ)Ｏ−、Ｒ10Ｒ11Ｃ＝ＮＯ−、Ｒ10Ｒ11Ｎ−，Ｒ10−，ＨＯ−Ｇ−Ｏ−で表される官能基であり、Ｇは上記表記と一致し、Ｒ10及びＲ11はそれぞれ独立に炭素数１〜２０の直鎖もしくは、分岐、環状のアルキル基である。
ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、かつ（ｕ／２）＋ｖ＋２ｗ＝２又は３である。
A部が複数である場合、複数のＡ部におけるＺau、Ｚbv及びＺcwそれぞれにおいて、同一でも異なっていてもよく、Ｂが複数である場合、複数のＢ部におけるＺau、Ｚbv及びＺcwそれぞれにおいて、同一でも異なってもよい。]で表されるシランカップリング剤である請求項１又は２に記載のゴム組成物。
【請求項４】
前記無機充填材がシリカである請求項１〜３のいずれかに記載のゴム組成物。
【請求項５】
前記（Ｄ）成分が、化学式（III）、
【化３】
2008231417.tif 000003
化学式（ＩV）、及び
【化４】
2008231417.tif 000004
化学式（V）
【化５】
2008231417.tif 000005
［式中Ｌはそれぞれ独立して炭素数１〜９のアルカンジイル基又はアルケンジイル基であり、ｘ＝ｍ、ｙ＝ｎである。］で表される少なくとも１種のシランカップリング剤である請求項１、２又は４に記載のゴム組成物。
【請求項６】
（Ａ）ゴム成分中に、（Ａ−１）成分５０〜９０質量％及び（Ａ−２）成分５０〜１０質量％を含有する請求項１〜５のいずれかに記載のゴム組成物。
【請求項７】
（Ａ）ゴム成分１００質量部に対し、（Ｂ）充填材５０〜９０質量部を含む請求項１〜６のいずれかに記載のゴム組成物。
【請求項８】
油展ゴムに含まれるプロセスオイル以外のプロセスオイルを含まない請求項１〜７のいずれかに記載のゴム組成物。
【請求項９】
（Ｄ）成分の一般式（Ｉ）で表されるシランカップリング剤が、アシルチオアルキルトリアルコキシシランである請求項１〜８のいずれかに記載のゴム組成物。
【請求項１０】
請求項１〜９のいずれかに記載のゴム組成物を、トレッドに用いたことを特徴とする空気入りタイヤ。
【手続補正２】
【補正対象書類名】明細書
【補正対象項目名】０００９
【補正方法】変更
【補正の内容】
【０００９】
[式中Ｒ9は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つの珪素原子と結合することのできる基で、 [−Ｏ−] 0.5、[−Ｏ−Ｇ−]0.5又は[−Ｏ−Ｇ−Ｏ−] 0.5から選ばれる基であり、Ｚbはそれぞれ独立して二つの珪素原子と結合することのできる基で、 [−Ｏ−Ｇ−Ｏ−] 0.5で表される官能基であり、Ｚcはそれぞれ独立して−Ｃｌ、−Ｂｒ、−ＯＲ10、Ｒ10Ｃ(＝Ｏ)Ｏ−、Ｒ10Ｒ11Ｃ＝ＮＯ−、Ｒ10Ｒ11Ｎ−，Ｒ10−，ＨＯ−Ｇ−Ｏ−で表される官能基であり、Ｇは上記表記と一致し、Ｒ10及びＲ11はそれぞれ独立に炭素数１〜２０の直鎖もしくは、分岐、環状のアルキル基である。
ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、かつ（ｕ／２）＋ｖ＋２ｗ＝２又は３である。
Ａ部が複数である場合、複数のＡ部におけるＺau、Ｚbv及びＺcwそれぞれにおいて、同一でも異なっていてもよく、Ｂが複数である場合、複数のＢ部におけるＺau、Ｚbv及びＺcwそれぞれにおいて、同一でも異なってもよい。]で表されるシランカップリング剤である上記［１］又は［２］に記載のゴム組成物。
［４］前記無機充填材がシリカである上記［１］〜［３］いずれかのゴム組成物、
［５］  前記（Ｄ）成分が、化学式（III）、
【手続補正３】
【補正対象書類名】明細書
【補正対象項目名】００１５
【補正方法】変更
【補正の内容】
【００１５】
［式中Ｌはそれぞれ独立して炭素数１〜９のアルカンジイル基又はアルケンジイル基であり、ｘ＝ｍ、ｙ＝ｎである。］で表される少なくとも１種のシランカップリング剤である上記［１］、［２］又は［４］のゴム組成物、
［６］（Ａ）ゴム成分中に、（Ａ−１）成分５０〜９０質量％及び（Ａ−２）成分５０〜１０質量％を含有する上記［１］〜［５］いずれかのゴム組成物、
［７］（Ａ）ゴム成分１００質量部に対し、（Ｂ）充填材５０〜９０質量部を含む上記［１］〜［６］いずれかのゴム組成物、
［８］油展ゴムに含まれるプロセスオイル以外のプロセスオイルを含まない上記［１］〜［７］いずれかのゴム組成物、
［９］（Ｄ）成分の一般式（Ｉ）で表されるシランカップリング剤が、アシルチオアルキルトリアルコキシシランである上記［１］〜［８］いずれかのゴム組成物、及び
［１０］  上記［１］〜［９］いずれかのゴム組成物を、トレッドに用いたことを特徴とする空気入りタイヤ、
を提供するものである。
【手続補正４】
【補正対象書類名】明細書
【補正対象項目名】００３０
【補正方法】変更
【補正の内容】
【００３０】
本発明のゴム組成物において、さらに、（Ｄ）成分としては、一般式（II）で表されるシランカップリング剤が用いられる。
【手続補正５】
【補正対象書類名】明細書
【補正対象項目名】００３２
【補正方法】変更
【補正の内容】
【００３２】
一般式（ＩＩ）において、式中Ｒ9は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つの珪素原子と結合することのできる基で、 [−Ｏ−] 0.5、[−Ｏ−Ｇ−]0.5又は[−Ｏ−Ｇ−Ｏ−] 0.5から選ばれる基であり、Ｚbはそれぞれ独立して二つの珪素原子と結合することのできる基で、 [−Ｏ−Ｇ−Ｏ−] 0.5で表される官能基であり、Ｚcはそれぞれ独立して−Ｃｌ、−Ｂｒ、−ＯＲ10、Ｒ10Ｃ(＝Ｏ)Ｏ−、Ｒ10Ｒ11Ｃ＝ＮＯ−、Ｒ10Ｒ11Ｎ−，Ｒ10−，ＨＯ−Ｇ−Ｏ−で表される官能基であり、Ｇは上記表記と一致し、Ｒ10及びＲ11はそれぞれ独立に炭素数１〜２０の直鎖もしくは、分岐、環状のアルキル基である。
ｍ、ｎ、ｕ、ｖ、ｗはそれぞれ独立して１≦ｍ≦２０、０≦ｎ≦２０、０≦ｕ≦３、０≦ｖ≦２、０＜ｗ≦１であり、かつ（ｕ／２）＋ｖ＋２ｗ＝２又は３である。
A部が複数である場合、複数のＡ部におけるＺau、Ｚbv及びＺcwそれぞれにおいて、同一でも異なっていてもよく、Ｂが複数である場合、複数のＢ部におけるＺau、Ｚbv及びＺcwそれぞれにおいて、同一でも異なってもよい。
【手続補正６】
【補正対象書類名】明細書
【補正対象項目名】００３３
【補正方法】変更
【補正の内容】
【００３３】
上記（Ｄ）成分のシランカップリング剤としては、以下の化学式（III）、